(57)【要約】      （修正有）【課題】消費者が直接ＨＤＭＩ（登録商標）機器を接続して使用する場合でも、手軽に信号調整を行うことができるＨＤＭＩ信号補正方法、ＨＤＭＩ信号受信装置、ＨＤＭＩ信号伝送装置及びＨＤＭＩ信号処理システムを提供する。【解決手段】ＨＤＭＩ信号に対するイコライザゲイン（ｅｑｕａｌｉｚｅｒ  ｇａｉｎ）を設定するステップと、ＨＤＭＩ信号伝送装置で設定された信号調整情報に応じて信号調整が行われたＨＤＭＩ信号を、ＨＤＭＩ信号伝送装置から受信するステップと、受信されたＨＤＭＩ信号を設定されたイコライザゲインに応じて信号処理するステップと、信号処理されたＨＤＭＩ信号のエラー率（ｅｒｒｏｒ  ｒａｔｅ）を検出するステップと、信号処理されたＨＤＭＩ信号のうち、検出されたエラー率が最も小さいＨＤＭＩ信号に対応する信号調整情報をＨＤＭＩ信号伝送装置に伝送するステップとを含む。【選択図】図１
2014017819.tif 000002
【特許請求の範囲】
【請求項１】
ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）信号受信装置のＨＤＭＩ信号補正方法において、
ＨＤＭＩ信号に対するイコライザゲイン（ｅｑｕａｌｉｚｅｒ  ｇａｉｎ）を設定するステップと、
ＨＤＭＩ信号伝送装置で設定された信号調整情報に応じて信号調整が行われたＨＤＭＩ信号を、前記ＨＤＭＩ信号伝送装置から受信するステップと、
前記受信されたＨＤＭＩ信号を前記設定されたイコライザゲインに応じて信号処理するステップと、
前記信号処理されたＨＤＭＩ信号のエラー率（ｅｒｒｏｒ  ｒａｔｅ）を検出するステップと、
前記信号処理されたＨＤＭＩ信号のうち、前記検出されたエラー率が最も小さいＨＤＭＩ信号に対応する前記信号調整情報を前記ＨＤＭＩ信号伝送装置に伝送するステップと
を含むＨＤＭＩ信号補正方法。
【請求項２】
前記イコライザゲインを設定するステップは、
イコライザゲインレベルを順次に調整してイコライザゲインを変更することにより、前記イコライザゲインを設定することを特徴とする請求項１に記載のＨＤＭＩ信号補正方法。
【請求項３】
前記信号調整は、
プリエンファシスゲイン（ｐｒｅ−ｅｍｐｈａｓｉｓ  ｇａｉｎ）及びＴＭＤＳスイングゲイン（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ  Ｓｗｉｎｇ  ｇａｉｎ）のうち、少なくとも一方を変更することで調整することを特徴とする請求項１に記載のＨＤＭＩ信号補正方法。
【請求項４】
前記ＨＤＭＩ信号伝送装置に信号調整要求を伝送するステップを更に含み、
前記ＨＤＭＩ信号伝送装置が前記信号調整要求を受信すると、前記ＨＤＭＩ信号を調整することを特徴とする請求項１に記載のＨＤＭＩ信号補正方法。
【請求項５】
前記エラー率を検出するステップは、
ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）エラーをカウントして前記エラー率を検出することを特徴とする請求項１に記載のＨＤＭＩ信号補正方法。
【請求項６】
前記ＴＭＤＳエラーは、
ＢＣＨエラー（Ｂｏｓｅ  Ｃｈａｕｄｈｒｉ  Ｈｏｃｑｕｅｎｇｈｅｍ  Ｃｏｄｅ  Ｅｒｒｏｒ）及びＥＣＣエラー（Ｅｒｒｏｒ  Ｃｈｅｃｋ  ａｎｄ  Ｃｏｒｒｅｃｔ  Ｍｅｍｏｒｙ  Ｅｒｒｏｒ）のうち、少なくとも一方であることを特徴とする請求項５に記載のＨＤＭＩ信号補正方法。
【請求項７】
前記イコライザゲイン、前記信号調整情報及びそれに対応する前記エラー率を保存するステップを更に含み、
前記伝送ステップは、
前記保存されたエラー率のうち、最小のエラー率に対応する前記信号調整情報を前記ＨＤＭＩ信号伝送装置に伝送することを特徴とする請求項１に記載のＨＤＭＩ信号補正方法。
【請求項８】
前記信号処理されたＨＤＭＩ信号のうち、前記検出された最小のエラー率が予め設定された値以上である場合、ＨＤＭＩケーブルの交換を要求するメッセージを出力するステップを更に含むことを特徴とする請求項１に記載のＨＤＭＩ信号補正方法。
【請求項９】
ＨＤＭＩ信号伝送装置のＨＤＭＩ信号補正方法において、
信号調整情報を設定するステップと、
前記設定された信号調整情報に応じてＨＤＭＩ信号を調整するステップと、
前記調整されたＨＤＭＩ信号を前記ＨＤＭＩ信号受信装置に伝送するステップと、
前記ＨＤＭＩ信号受信装置からエラー率が最小のＨＤＭＩ信号に対応する信号調整情報を受信するステップと、
前記受信された信号調整情報に応じてＨＤＭＩ信号を調整するステップと
を含むＨＤＭＩ信号補正方法。
【請求項１０】
前記信号調整は、
プリエンファシスゲイン（ｐｒｅ−ｅｍｐｈａｓｉｓ  ｇａｉｎ）及びＴＭＤＳスイングゲイン（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ  Ｓｗｉｎｇ  ｇａｉｎ）のうち、少なくとも一方を変更することで調整することを特徴とする請求項９に記載のＨＤＭＩ信号補正方法。
【請求項１１】
前記エラー率は、
ＢＣＨエラー及びＥＣＣエラーのうち、少なくとも一方をカウントして検出されることを特徴とする請求項９に記載のＨＤＭＩ信号補正方法。
【請求項１２】
ＨＤＭＩ信号受信装置において、
ＨＤＭＩ信号に対するイコライザゲイン（ｅｑｕａｌｉｚｅｒ  ｇａｉｎ）を設定するＥＱ調整部と、
ＨＤＭＩ信号伝送装置で設定された信号調整情報に応じて信号調整が行われたＨＤＭＩ信号を、前記ＨＤＭＩ信号伝送装置から受信する通信インターフェース部と、
前記通信インターフェース部によって受信されたＨＤＭＩ信号を、前記ＥＱ調整部によって設定されたイコライザゲインに応じて信号処理する信号処理部と、
前記信号処理されたＨＤＭＩ信号のエラー率（ｅｒｒｏｒ  ｒａｔｅ）を検出するエラー検出部と、
前記信号処理されたＨＤＭＩ信号のうち、前記エラー検出部によって検出されたエラー率が最も小さいＨＤＭＩ信号に対応する前記信号調整情報を前記ＨＤＭＩ信号伝送装置に伝送するように制御する制御部と
を含むＨＤＭＩ信号受信装置。
【請求項１３】
前記ＥＱ調整部は、
イコライザゲインレベルを順次に調整してイコライザゲインを変更することにより、前記イコライザゲインを設定することを特徴とする請求項１２に記載のＨＤＭＩ信号受信装置。
【請求項１４】
前記ＨＤＭＩ信号伝送装置は、
プリエンファシスゲイン（ｐｒｅ−ｅｍｐｈａｓｉｓ  ｇａｉｎ）及びＴＭＤＳスイングゲイン（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ  Ｓｗｉｎｇ  ｇａｉｎ）のうち、少なくとも一方を変更することで、前記ＨＤＭＩ信号を調整することを特徴とする請求項１２に記載のＨＤＭＩ信号受信装置。
【請求項１５】
ＨＤＭＩ信号伝送装置において、
ＨＤＭＩ信号受信装置と情報を送受信する通信インターフェース部と、
前記通信インターフェース部がＨＤＭＩ信号受信装置から信号調整要求を受信する場合、信号を調整する信号調整部と、
前記信号調整部によって調整されたＨＤＭＩ信号を前記ＨＤＭＩ信号受信装置に伝送するように前記通信インターフェース部を制御し、前記ＨＤＭＩ信号受信装置からエラー率が最小のＨＤＭＩ信号に対応する信号調整情報を受信すると、前記受信された信号調整情報に応じてＨＤＭＩ信号を調整するように、前記信号調整部を制御する制御部と
を含むＨＤＭＩ信号伝送装置。
【発明の詳細な説明】
【技術分野】
【０００１】
本発明は、ＨＤＭＩ（登録商標）信号処理に関し、より詳細には、ＨＤＭＩ機器の信号調整のためのＨＤＭＩ信号補正方法、ＨＤＭＩ信号受信装置、ＨＤＭＩ信号伝送装置及びＨＤＭＩ信号処理システムに関する。
【背景技術】
【０００２】
高精細度マルチメディアインターフェース（ＨＤＭＩ：Ｈｉｇｈ  Ｄｅｆｉｎｉｔｉｏｎ  Ｍｕｌｔｉｍｅｄｉａ  Ｉｎｔｅｒｆａｃｅ）は、非圧縮方式のデジタルビデオ／オーディオインターフェース規格の一つである。ＨＤＭＩは、ＨＤＭＩをサポートするセットトップボックス、ＤＶＤ再生機等のマルチメディアソースから、ＡＶ機器、モニタ、デジタルテレビ等の装置の間のインターフェースを提供する。
【０００３】
ＨＤＭＩは、高精細度マルチメディア情報を高周波信号で伝達するが、ＨＤＭＩ信号は、通常、３００〜６００Ｈｈｚの周波数特性を有する。しかし、３００〜６００Ｍｈｚ帯域で、ノイズと信号との区別が困難になり、ノイズの除去が難しいという問題があった。特に、ＨＤＭＩケーブルの接続に問題があったり、ケーブルが長くなる場合、ノイズや信号漏洩の問題は深刻化する。
【０００４】
信号のノイズを最小限化するために、製品出荷の段階で一般的にＨＤＭＩ信号調整が行われる。すなわち、ＨＤＭＩ信号を生成して伝送する伝送端（例えば、ＤＶＤプレーヤ、セットトップボックス）と、受信して再生する受信端（例えば、テレビ）の出荷段階でハードウェアの特性に合うようにイコライザゲイン（ｅｑｕａｌｉｚｅｒ  ｇａｉｎ）や、プリエンファシスゲイン（ｐｒｅ−ｅｍｐｈａｓｉｓ  ｇａｉｎ）の調整が行われる。しかし、上述のように、ＨＤＭＩケーブルの接続状態に応じて、ノイズや信号漏洩問題が深刻化するため、機器の設置環境を考慮したＨＤＭＩ信号調整が必要となる。
【０００５】
特に、消費者が直接ＨＤＭＩ機器を接続して使用する場合でも、手軽にＨＤＭＩ信号調整を行い、最適のＨＤＭＩ信号送受信条件を備えることができる方策が求められる。
【先行技術文献】
【特許文献】
【０００６】
【特許文献１】米国特開第２００８−０１２６８７２号公報
【特許文献２】米国特開第２００７−０１０９２５６号公報
【発明の概要】
【発明が解決しようとする課題】
【０００７】
そこで、本発明は、上記問題に鑑みてなされたものであり、本発明の目的とするところは、消費者が直接ＨＤＭＩ機器を接続して使用する場合でも、手軽に信号調整を行うことができるＨＤＭＩ信号補正方法、ＨＤＭＩ信号受信装置、ＨＤＭＩ信号伝送装置及びＨＤＭＩ信号処理システムを提供することにある。
【課題を解決するための手段】
【０００８】
以上のような目的を達成するための本発明の一実施形態に係るＨＤＭＩ信号補正方法は、ＨＤＭＩ信号に対するイコライザゲイン（ｅｑｕａｌｉｚｅｒ  ｇａｉｎ）を設定するステップと、ＨＤＭＩ信号伝送装置で設定された信号調整情報に応じて信号調整が行われたＨＤＭＩ信号を、前記ＨＤＭＩ信号伝送装置から受信するステップと、前記受信されたＨＤＭＩ信号を前記設定されたイコライザゲインに応じて信号処理するステップと、前記信号処理されたＨＤＭＩ信号のエラー率（ｅｒｒｏｒ  ｒａｔｅ）を検出するステップと、前記信号処理されたＨＤＭＩ信号のうち、前記検出されたエラー率が最も小さいＨＤＭＩ信号に対応する前記信号調整情報を前記ＨＤＭＩ信号伝送装置に伝送するステップとを含む。
【０００９】
前記イコライザゲインを設定するステップは、イコライザゲインレベルを順次に調整してイコライザゲインを変更することにより、前記イコライザゲインを設定してよい。
【００１０】
前記信号調整は、プリエンファシスゲイン（ｐｒｅ−ｅｍｐｈａｓｉｓ  ｇａｉｎ）及びＴＭＤＳスイングゲイン（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ  Ｓｗｉｎｇ  ｇａｉｎ）のうち、少なくとも一方を変更することで調整してよい。
【００１１】
前記ＨＤＭＩ信号伝送装置に信号調整要求を伝送するステップを更に含み、前記ＨＤＭＩ信号伝送装置が前記信号調整要求を受信すると、前記ＨＤＭＩ信号を調整してよい。
【００１２】
前記エラー率を検出するステップは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）エラーをカウントして前記エラー率を検出してよい。
【００１３】
前記ＴＭＤＳエラーは、ＢＣＨエラー（Ｂｏｓｅ  Ｃｈａｕｄｈｒｉ  Ｈｏｃｑｕｅｎｇｈｅｍ  Ｃｏｄｅ  Ｅｒｒｏｒ）及びＥＣＣエラー（Ｅｒｒｏｒ  Ｃｈｅｃｋ  ａｎｄ  Ｃｏｒｒｅｃｔ  Ｍｅｍｏｒｙ  Ｅｒｒｏｒ）のうち、少なくとも一方であってよい。
【００１４】
前記イコライザゲイン、前記信号調整情報及びそれに対応する前記エラー率を保存するステップを更に含み、前記伝送ステップは、前記保存されたエラー率のうち、最小のエラー率に対応する前記信号調整情報を前記ＨＤＭＩ信号伝送装置に伝送してよい。
【００１５】
前記信号処理されたＨＤＭＩ信号のうち、前記検出された最小のエラー率が予め設定された値以上である場合、ＨＤＭＩケーブルの交換を要求するメッセージを出力するステップを更に含んでよい。
【００１６】
以上のような目的を達成するための本発明の別の実施形態に係るＨＤＭＩ信号伝送装置のＨＤＭＩ信号補正方法において、ＨＤＭＩ信号受信装置から信号調整要求を受信する場合、信号調整情報を設定するステップと、前記設定された信号調整情報に応じてＨＤＭＩ信号を調整するステップと、前記調整されたＨＤＭＩ信号を前記ＨＤＭＩ信号受信装置に伝送するステップと、前記ＨＤＭＩ信号受信装置からエラー率が最小のＨＤＭＩ信号に対応する信号調整情報を受信するステップと、前記受信された信号調整情報に応じてＨＤＭＩ信号を調整するステップとを含んでよい。
【００１７】
前記信号調整は、プリエンファシスゲイン（ｐｒｅ−ｅｍｐｈａｓｉｓ  ｇａｉｎ）及びＴＭＤＳスイングゲイン（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ  Ｓｗｉｎｇ  ｇａｉｎ）のうち、少なくとも一方を変更することで調整してよい。
【００１８】
前記エラー率は、ＢＣＨエラー及びＥＣＣエラーのうち、少なくとも一方をカウントして検出されてよい。
【００１９】
以上のような目的を達成するための本発明の別の実施形態に係るＨＤＭＩ信号補正方法は、ＨＤＭＩ信号受信装置がＨＤＭＩ信号に対するイコライザゲイン（ｅｑｕａｌｉｚｅｒ  ｇａｉｎ）を設定するステップと、前記ＨＤＭＩ信号受信装置が信号調整要求をＨＤＭＩ信号伝送装置に伝送するステップと、前記信号調整要求が伝送される場合、前記ＨＤＭＩ信号伝送装置が信号調整情報を設定するステップと、前記ＨＤＭＩ信号伝送装置が前記設定された信号調整情報に応じてＨＤＭＩ信号を調整するステップと、前記ＨＤＭＩ信号伝送装置が前記調整されたＨＤＭＩ信号を前記ＨＤＭＩ信号受信装置に伝送するステップと、前記ＨＤＭＩ信号受信装置が前記伝送されたＨＤＭＩ信号を前記設定されたイコライザゲインに応じて信号処理するステップと、前記ＨＤＭＩ信号受信装置が前記信号処理されたＨＤＭＩ信号のエラー率（ｅｒｒｏｒ  ｒａｔｅ）を検出するステップと、前記ＨＤＭＩ信号受信装置が前記信号処理されたＨＤＭＩ信号のうち、前記検出されたエラー率が最も小さいＨＤＭＩ信号に対応する前記信号調整情報を前記ＨＤＭＩ信号伝送装置に伝送するステップと、前記ＨＤＭＩ信号伝送装置が前記伝送された信号調整情報に応じてＨＤＭＩ信号を調整するステップとを含む。
【００２０】
前記信号調整は、プリエンファシスゲイン（ｐｒｅ−ｅｍｐｈａｓｉｓ  ｇａｉｎ）及びＴＭＤＳスイングゲイン（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ  Ｓｗｉｎｇ  ｇａｉｎ）のうち、少なくとも一方を変更することで調整してよい。
【００２１】
以上のような目的を達成するための本発明の別の実施形態に係るＨＤＭＩ信号受信装置は、ＨＤＭＩ信号に対するイコライザゲイン（ｅｑｕａｌｉｚｅｒ  ｇａｉｎ）を設定するＥＱ調整部と、ＨＤＭＩ信号伝送装置で設定された信号調整情報に応じて信号調整が行われたＨＤＭＩ信号を、前記ＨＤＭＩ信号伝送装置から受信する通信インターフェース部と、前記通信インターフェース部によって受信されたＨＤＭＩ信号を、前記ＥＱ調整部によって設定されたイコライザゲインに応じて信号処理する信号処理部と、前記信号処理されたＨＤＭＩ信号のエラー率（ｅｒｒｏｒ  ｒａｔｅ）を検出するエラー検出部と、前記信号処理されたＨＤＭＩ信号のうち、前記エラー検出部によって検出されたエラー率が最も小さいＨＤＭＩ信号に対応する前記信号調整情報を前記ＨＤＭＩ信号伝送装置に伝送するように制御する制御部とを含む。
【００２２】
前記ＥＱ調整部は、イコライザゲインレベルを順次に調整してイコライザゲインを変更することにより、前記イコライザゲインを設定してよい。
【００２３】
前記ＨＤＭＩ信号伝送装置は、プリエンファシスゲイン（ｐｒｅ−ｅｍｐｈａｓｉｓ  ｇａｉｎ）及びＴＭＤＳスイングゲイン（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ  Ｓｗｉｎｇ  ｇａｉｎ）のうち、少なくとも一方を変更することで、前記ＨＤＭＩ信号を調整してよい。
【００２４】
前記イコライザゲイン、前記信号調整情報及びそれに対応する前記エラー率を保存する保存部を更に含み、前記制御部は、前記保存されたエラー率のうち、最小のエラー率に対応する前記信号調整情報を前記ＨＤＭＩ信号伝送装置に伝送するように制御してよい。
【００２５】
前記ＨＤＭＩ信号受信装置は、ディスプレイ部を更に含み、前記制御部は、前記信号処理されたＨＤＭＩ信号のうち、前記検出された最小のエラー率が予め設定された値以上である場合、ＨＤＭＩケーブルの交換を要求するメッセージを出力するように前記ディスプレイ部を制御してよい。
【００２６】
以上のような目的を達成するための本発明の別の実施形態に係るＨＤＭＩ信号伝送装置は、ＨＤＭＩ信号受信装置と情報を送受信する通信インターフェース部と、前記通信インターフェース部がＨＤＭＩ信号受信装置から信号調整要求を受信する場合、信号を調整する信号調整部と、前記信号調整部によって調整されたＨＤＭＩ信号を前記ＨＤＭＩ信号受信装置に伝送するように前記通信インターフェース部を制御し、前記ＨＤＭＩ信号受信装置からエラー率が最小のＨＤＭＩ信号に対応する信号調整情報を受信すると、前記受信された信号調整情報に応じてＨＤＭＩ信号を調整するように、前記信号調整部を制御する制御部とを含む。
【００２７】
以上のような目的を達成するための本発明の一実施形態に係るＨＤＭＩ信号処理システムは、ＨＤＭＩ信号に対するイコライザゲイン（ｅｑｕａｌｉｚｅｒ  ｇａｉｎ）を設定し、ＨＤＭＩ信号伝送装置から調整されたＨＤＭＩ信号を受信して設定されたイコライザゲインに応じて信号を処理し、信号処理されたＨＤＭＩ信号のうち、エラー率が最も小さいＨＤＭＩ信号に対応する信号調整情報を前記ＨＤＭＩ信号伝送装置に伝送するＨＤＭＩ信号受信装置と、前記ＨＤＭＩ信号を調整して前記ＨＤＭＩ信号受信装置に伝送し、前記受信されたエラー率が最も小さいＨＤＭＩ信号に対応する信号調整情報に応じて、ＨＤＭＩ信号を調整して前記ＨＤＭＩ信号受信装置に再伝送するＨＤＭＩ信号伝送装置とを含む。
【発明の効果】
【００２８】
以上説明したように、本発明によれば、自動信号調整機能をＨＤＭＩ機器そのものに備え、ユーザが直接手軽に信号調整が可能であり、解像度が劣化することなく、最適の信号送受信環境を設定することができるようになる。
【図面の簡単な説明】
【００２９】
【図１】本発明の一実施形態に係るＨＤＭＩ信号補正方法を示すフローチャートである。
【図２】イコライザゲインの設定値を示す参考図である。
【図３】プリエンファシスゲインの設定値を示す参考図である。
【図４】ＴＭＤＳスイングゲインの設定値を示す参考図である。
【図５】ＥＣＣメモリが検出したエラーをカウントして保存しているレジスタを提供する情報を示す参考図である。
【図６】信号処理過程及びエラー率検出過程を行って生成したテーブルの例を示す参考図である。
【図７】本発明の別の実施形態に係るＨＤＭＩ信号補正方法を示すフローチャートである。
【図８】本発明の更に別の実施形態に係るＨＤＭＩ信号補正方法を示すフローチャートである。
【図９】本発明の更に別の実施形態に係るＨＤＭＩ信号補正方法を示すフローチャートである。
【図１０】本発明の更に別の実施形態に係るＨＤＭＩ信号補正方法を示すフローチャートである。
【図１１】本発明の更に別の実施形態に係るＨＤＭＩ信号補正方法を示すフローチャートである。
【図１２】本発明の更に別の実施形態に係るＨＤＭＩ信号補正方法を示すフローチャートである。
【図１３】本発明の更に別の実施形態に係るＨＤＭＩ信号受信装置の構成を示すブロック図である。
【図１４】本発明の更に別の実施形態に係るＨＤＭＩ信号受信装置の構成を示すブロック図である。
【図１５】本発明の更に別の実施形態に係るＨＤＭＩ信号受信装置の構成を示すブロック図である。
【図１６】本発明の更に別の実施形態に係るＨＤＭＩ信号伝送装置の構成を示すブロック図である。
【図１７】図１６で信号調整部がプリエンファシス調整部とスイング調整部とを含むＨＤＭＩ信号伝送装置の構成を示すブロック図である。
【図１８】本発明の更に別の実施形態に係るＨＤＭＩ信号処理システムの構成を示すブロック図である。
【図１９】図１８のＨＤＭＩ信号処理システムに対する概略的な回路図を示す参考図である。
【発明を実施するための形態】
【００３０】
以下に添付図面を参照しながら、本発明の好適な実施形態について詳細に説明する。
【００３１】
図１は、本発明の一実施形態に係るＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、以下、ＨＤＭＩという）信号補正方法を示すフローチャートである。
【００３２】
同図を参照すると、本発明の一実施形態に係るＨＤＭＩ信号補正方法は、イコライザゲイン（ｅｑｕａｌｉｚｅｒ  ｇａｉｎ）を設定するステップ（Ｓ１１０）と、信号調整が行われたＨＤＭＩ信号をＨＤＭＩ信号伝送装置から受信するステップ（Ｓ１２０）と、受信されたＨＤＭＩ信号を信号処理するステップ（Ｓ１３０）と、信号処理されたＨＤＭＩ信号のエラー率（ｅｒｒｏｒ  ｒａｔｅ）を検出するステップ（Ｓ１４０）と、検出されたエラー率が最も小さい信号調整情報を前記ＨＤＭＩ信号伝送装置に伝送するステップ（Ｓ１５０）とを含んでよい。
【００３３】
ＨＤＭＩケーブルを通じてＨＤＭＩ信号伝送端とＨＤＭＩ信号受信端とが接続された場合、本発明の一実施形態によると、まず、ＨＤＭＩ信号受信端でイコライザゲインを設定する（Ｓ１１０）。イコライザゲイン設定は、イコライザゲインレベルを順次に調整し、イコライザゲインを変更する方式で行われてよい。ＨＤＭＩ信号補正が開始される場合、イコライザゲインは初期値にセットされてよい。そして、初期値からイコライザゲインレベルを順次に増加させて変更しつつ、対応するＨＤＭＩ信号を検出する。
【００３４】
ここで、イコライジング（ｅｑｕａｌｉｚｉｎｇ）は、ＨＤＭＩ信号伝送端から受信されたＨＤＭＩ信号を補強したり切削する作業を含み、ｂｉａｓ信号を調整したり、ｃｈａｒｇｅ  ｐｕｍｐ  ｖａｌｕｅを変更する作業を含む。特に、イコライジングゲインは、ジッター（ｊｉｔｔｅｒ）調整に関連する。ＨＤＭＩ信号は、基本的に高周波の特性を有し、高周波で波動の一部様相が逸脱したり、変位されるジッター現象が深刻化することで知られている。ジッターは、ディスプレイモニタが点滅したり、望むとおりに物事を進めるパソコンのプロセッサ能力に影響を及ぼしたり、オーディオ信号にガタガタする音を生じさせる可能性があり、ネットワーク装備の間に伝送されるデータの紛失の原因となる。イコライジングゲインの設定を変更して位相同期回路（ＰＬＬ：Ｐｈａｓｅ  Ｌｏｃｋｅｄ  Ｌｏｏｐ）の敏感度を調整することで、ジッター現象を低減させることができる。
【００３５】
図２は、イコライザゲインの設定値を示す参考図である。
【００３６】
ＨＤＭＩ信号受信端は、同図のように、イコライザゲインを設定することができる。例えば、ＥＱ＿Ｇａｉｎ＿１はレジスタに０ｘ０１を印加することにより、０ｄＢの信号強度を得ることができる。次の段階において、イコライザゲインレベルを上げる場合（ＥＱ＿Ｇａｉｎ＿２に該当）レジスタに０ｘ０２を印加することにより、１ｄＢの信号強度を得ることができる。このように、イコライザゲインのレベルを順次に増加させつつ、信号の強度を変形することができる。ただ、同図は、本発明の一実施形態に過ぎず、制御値（ｃｏｎｔｒｏｌ  ｖａｌｕｅ）と得られる信号強度（Ｇａｉｎ）とは、異なるように設定されてよい。なお、レベルが、図２より更に多段に設定されてよく、少ない段階に設定されてよい。
【００３７】
一方、ＨＤＭＩ信号伝送端は、ＨＤＭＩ信号を生成して伝送することができる全ての種類の装置を含む。例えば、コンピュータ、ＤＶＤプレーヤ、テレビ、携帯電話、ＰＤＡ、ノートパソコン、モニタ、タブレットパソコン、電子書式、デジタルフォトフレーム、キヨスク等のような多様な装置で実現されてよい。
【００３８】
なお、ＨＤＭＩ信号受信端は、ＨＤＭＩ信号伝送端からＨＤＭＩ信号を受信して再生できる全ての種類の装置を含む。例えば、コンピュータ、ＤＶＤプレーヤ、テレビ、携帯電話、ＰＤＡ、ノートパソコン、モニタ、タブレットパソコン、電子書式、デジタルフォトフレーム、キヨスク等のような多様な装置で実現されてよい。
【００３９】
イコライザゲインがセットされた後、ＨＤＭＩ信号伝送端は必要な信号調整を行う。信号調整は、プリエンファシスゲイン（ｐｒｅ−ｅｍｐｈａｓｉｓ  ｇａｉｎ）及びＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）スイングゲイン（ＴＭＤＳ  Ｓｗｉｎｇ  ｇａｉｎ）のうち、少なくとも一つを変更することで行われてよい。
【００４０】
ＨＤＭＩ信号の特定部分が損失されたり減衰された場合、プリエンファシスゲインを設定することで、当該部分を増幅させる効果を得ることができる。本発明のＨＤＭＩ信号の伝送端はプリエンファシスゲインを設定して調節されたＨＤＭＩ信号を、ＨＤＭＩ信号受信端に伝送する。一般にＤＶＤプレーヤのようなＨＤＭＩ信号伝送端が工場から出荷されるとき、プリエンファシスゲインは設定が行われている場合がほとんどである。よって、製品を修理する場合を除いて、実際ＤＶＤプレーヤの使用環境でプリエンファシスゲインを変更することはめったにない。ＨＤＭＩ信号伝送端は、予め設定されたプリエンファシスゲイン値に応じて、一様に生成されたＨＤＭＩ信号に対する調整を行い、調整されたＨＤＭＩ信号をＨＤＭＩ信号受信端に伝送する。しかし、ＨＤＭＩケーブルを新たに接続する場合、ＨＤＭＩ信号伝送環境に合った最適化された品質の信号伝送が行われることができない問題があって、ＨＤＭＩ信号を最適化する調整が必要である。本発明は、ＨＤＭＩケーブルを新たに接続する場合、プリエンファシスゲインを変更し、ＨＤＭＩ信号を調整し、調整されたＨＤＭＩ信号のうち、最高の品質を有するＨＤＭＩ信号を判別し、ＨＤＭＩ信号伝送条件を設定する方法を提供する。
【００４１】
図３は、プリエンファシスゲインの設定値を示す参考図である。
【００４２】
ＨＤＭＩ信号伝送端は、同図のように、プリエンファシスゲインを設定することができる。例えば、Ｐｒｅ−ｅｍｐｈａｓｉｓ＿Ｇａｉｎ＿１はレジスタに０ｘ０２を印加することにより、１.５ｄＢの信号強度を得ることができる。次の段階において、プリエンファシスゲインレベルを上げる場合（Ｐｒｅ−ｅｍｐａｈｓｉｓ＿Ｇａｉｎ＿３に該当）レジスタに０ｘ０３を印加することにより、２.０ｄＢの信号強度を得ることができる。このように、プリエンファシスゲインのレベルを順次に増加させつつ、信号の強度を変形することができる。ただ、同図は、本発明の一実施形態に過ぎず、制御値（ｃｏｎｔｒｏｌ  ｖａｌｕｅ）と得られる信号強度（Ｇａｉｎ）とは、異なるように設定されてよい。なお、レベルが、図３より更に多段に設定されてよく、少ない段階に設定されてよい。
【００４３】
それと同様に、ＨＤＭＩ信号が損失されたり減衰された場合、ＴＭＤＳ（遷移時間最短差動信号、Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ、以下、ＴＭＤＳという）スイングゲインを設定することで、信号を増幅させることができる。ＴＭＤＳスイングゲインを設定する場合、信号全体に対して増幅をすることができることから、プリエンファシスと区別される。
【００４４】
ＴＭＤＳは、「映像データ期間」、「データサム（ＳＵＭ）期間」、「制御期間」の３通りのモードのいずれかを使って、映像や音声、そしてその他のデータを伝送するデータ伝送方式である。「映像データ期間」では、映像データが伝送され、「データサム（ＳＵＭ）期間」は、音声とその他のデータがいくつかのパケットに分けて送られ、「制御期間」は、「映像データ期間」と「データサム（ＳＵＭ）期間」の間に制御信号を伝送する。
【００４５】
ＨＤＭＩ信号の伝送端は、ＴＭＤＳスイングゲインを設定して調節されたＨＤＭＩ信号をＨＤＭＩ信号受信端に伝送する。一般に、ＤＶＤプレーヤのようなＨＤＭＩ信号伝送端が工場から出荷されるとき、ＴＭＤＳスイングゲインは設定が行われている場合がほとんどである。よって、製品を修理する場合を除いて、実際ＤＶＤプレーヤの使用環境でＴＭＤＳスイングゲインを変更することはめったにない。ＨＤＭＩ信号伝送端は、予め設定されたＴＭＤＳスイングゲインに応じて、一様に生成されたＨＤＭＩ信号に対する調整を行い、調整されたＨＤＭＩ信号をＨＤＭＩ信号受信端に伝送する。しかし、ＨＤＭＩケーブルを新たに接続する場合、ＨＤＭＩ信号伝送環境に合った最適化された品質の信号伝送が行われることができない問題があって、ＨＤＭＩ信号を最適化する調整が必要である。本発明は、ＨＤＭＩケーブルを新たに接続する場合、ＴＭＤＳスイングゲインを変更し、ＨＤＭＩ信号を調整し、調整されたＨＤＭＩ信号のうち、最高の品質を有するＨＤＭＩ信号を判別し、ＨＤＭＩ信号伝送条件を設定する方法を提供する。
【００４６】
図４は、ＴＭＤＳスイングゲインの設定値を示す参考図である。
【００４７】
ＨＤＭＩ信号伝送端は、同図のように、ＴＭＤＳスイングゲインを設定することができる。例えば、Ｓｗｉｎｇ＿Ｇａｉｎ＿３はレジスタに０ｘ０３を印加することにより、５００ｍＶの信号強度を得ることができる。次の段階において、ＴＭＤＳスイングゲインを上げる場合（ＴＭＤＳ＿Ｓｗｉｎｇ＿Ｇａｉｎ＿４に該当）レジスタに０ｘ０４を印加することにより、５５０ｍＶの信号強度を得ることができる。このように、ＴＭＤＳスイングゲインのレベルを順次に増加させつつ、信号の強度を変形することができる。ただ、同図は、本発明の一実施形態に過ぎず、制御値（ｃｏｎｔｒｏｌ  ｖａｌｕｅ）と得られる信号強度（Ｇａｉｎ）とは、異なるように設定されてよい。なお、レベルが、図４より更に多段に設定されてよく、少ない段階に設定されてよい。
【００４８】
ＨＤＭＩ信号受信端は、信号調整が行われたＨＤＭＩ信号をＨＤＭＩ信号伝送端から受信した（Ｓ１２０）の後、ＨＤＭＩ信号受信端は受信されたＨＤＭＩ信号を設定されたイコライザゲインに応じて、信号処理する（Ｓ１３０）。結果的に、ＨＤＭＩ信号伝送端から生成されたＨＤＭＩ信号は、プリエンファシスゲイン及び／またはＴＭＤＳスイングゲイン設定に応じて信号処理された後、ＨＤＭＩ信号受信端に伝送され、ＨＤＭＩ信号受信端は、受信されたＨＤＭＩ信号をイコライザゲインに応じて信号処理して一連の信号処理過程を完了する。
【００４９】
次に、ＨＤＭＩ信号受信端は、上記のように信号処理されたＨＤＭＩ信号のエラー率（ｅｒｒｏｒ  ｒａｔｅ）を検出する（Ｓ１４０）。エラー率は、最初に生成された信号を基準に、ＨＤＭＩ信号の伝送過程で生じた損失の程度に依存する。一実施形態として、エラー率の検出は、ＴＭＤＳエラーをカウントして検出することができる。ＴＭＤＳエラーをカウントする方法は、受信されたＨＤＭＩ信号のＢＣＨ（Ｂｏｓｅ  Ｃｈａｕｄｈｒｉ  Ｈｏｃｑｕｅｎｇｈｅｍ  Ｃｏｄｅ）エラーまたはＥＣＣ（Ｅｒｒｏｒ  Ｃｈｅｃｋ  ａｎｄ  Ｃｏｒｒｅｃｔ  Ｍｅｍｏｒｙ）エラーを検出する方法であってよい。
【００５０】
図５は、ＥＣＣメモリが検出したエラーをカウントして保存しているレジスタを提供する情報を示す参考図である。一般的に、ＥＣＣメモリは、メモリ付近で過電流が発生する場合、または、その他の外部の影響により、ビット値が変更される場合、エラーを検出する。同図は、ＥＣＣメモリに２バイトの情報でＥＣＣエラーが検出されたビットをカウントした結果を提供する実施形態を示している。
【００５１】
上述の信号処理過程及びエラー率検出過程は繰り返し行われつつ、ＨＤＭＩ信号受信端は信号処理されたＨＤＭＩ信号のうち、検出されたエラー率が最も小さいＨＤＭＩ信号を探る。そして、それに対応する信号調整情報をＨＤＭＩ信号伝送端に伝送する（Ｓ１５０）。上述のように、信号調整情報は、設定されたプリエンファシスゲイン及びＴＭＤＳスイングゲインであってよく、この場合、プリエンファシスゲインとＴＭＤＳスイングゲインの設定値がＨＤＭＩ信号伝送端に伝送される。
【００５２】
このように、信号処理過程及びエラー率検出過程は繰り返し行われる場合、各過程で設定された信号調整情報とそれに対応するエラー率のテーブルを生成することができる。ＨＤＭＩ信号受信端は、生成されたテーブルを参照して最小のエラー率を有する信号調整情報を識別する。図６は、このようなテーブルの例を示している。
【００５３】
すなわち、図６は、信号処理過程及びエラー率検出過程を行って生成したテーブルの例を示す参考図である。
【００５４】
同図を参照すると、イコライザゲインレベルが１であり、プリエンファシスゲインレベルが１である場合、ＴＭＤＳスイングゲインレベルが１〜８である場合のエラー率をメモリに保存し、イコライザゲインレベルが１であり、プリエンファシスゲインレベルが２である場合、ＴＭＤＳスイングゲインレベルが１〜８である場合のエラー率をメモリに保存する等、順次にイコライザゲインとプリエンファシスゲイン、ＴＭＤＳスイングゲインの設定組み合わせを形成してエラー率をチェックする実施形態を示している。ＨＤＭＩ信号受信端は、図６の組み合わせテーブルで、メモリに保存された最小のエラー率を有する信号調整情報を識別する。
【００５５】
図７は、本発明の別の実施形態に係るＨＤＭＩ信号補正方法を示すフローチャートである。
【００５６】
同図を更に参照すると、本発明の別の実施形態に係るＨＤＭＩ信号補正方法は、ＨＤＭＩ信号伝送装置に信号調整要求を伝送するステップ（Ｓ７２０）を更に含んでよい。この場合、ＨＤＭＩ信号補正方法は、イコライザゲインを設定し（Ｓ７１０）、ＨＤＭＩ信号伝送装置に信号調整要求を伝送すると（Ｓ７２０）、信号調整要求に応じて、ＨＤＭＩ信号伝送装置から調整されたＨＤＭＩ信号を受信し（Ｓ７３０）、受信されたＨＤＭＩ信号を信号処理し（Ｓ７４０）、信号処理されたＨＤＭＩ信号のエラー率を検出し（Ｓ７５０）、検出されたエラー率が最も小さい信号調整情報を前記ＨＤＭＩ信号伝送装置に伝送する過程（Ｓ７６０）から構成される。
【００５７】
このような信号調整要求を伝送する場合、ＨＤＭＩ信号伝送端が信号調整情報を設定し、設定された信号調整情報に応じてＨＤＭＩ信号を調整し、ＨＤＭＩ信号受信端に伝送すると、ＨＤＭＩ信号受信端が受信されたＨＤＭＩ信号を設定されたイコライザゲインに応じて信号処理し、信号処理されたＨＤＭＩ信号のエラー率を検出し、このような一連の過程は信号調整値を変更させつつ、繰り返し行われる。この場合、各過程で設定された信号調整情報とそれに対応するエラー率のテーブルを生成することができる。ＨＤＭＩ信号受信端は、上記テーブルを参照して最小のエラー率を有する信号調整情報を識別する。
【００５８】
図８は、本発明の更に別の実施形態に係るＨＤＭＩ信号補正方法を示すフローチャートである。
【００５９】
同図を更に参照すると、本発明の更に別の実施形態に係るＨＤＭＩ信号補正方法は、イコライザゲイン、信号調整情報及びそれに対応するエラー率を保存するステップ（Ｓ８５０）を更に含んでよい。
【００６０】
すなわち、上述のように、信号処理過程及びエラー率検出過程を行いつつ、各過程で設定された信号調整情報とそれに対応するエラー率のテーブルを生成し、保存部に保存することができる（Ｓ８５０）。例えば、図６の実施形態と同様に設定された信号調整情報と、それに対応するエラー率はメモリに保存されてよい。ＨＤＭＩ信号受信端は、メモリに保存されたテーブルを参照して、最小のエラー率を有する信号調整情報を識別する。そして、保存されたエラー率のうち、最小のエラー率に対応する信号調整情報をＨＤＭＩ信号伝送装置に伝送する。
【００６１】
ところが、上述の過程を通じて最小のエラー率に対応する信号調整情報が識別された場合も、このようなエラー率は、ＨＤＭＩ信号受信端が要求する最低限の品質を保証することができない場合があった。例えば、ＨＤＭＩケーブルが過度に長く接続されていたり、老朽化して信号の漏洩が激しい場合、最小のエラー率さえも良質を補償することができない場合がある。このような場合、ＨＤＭＩケーブルそのものを交換したり、新たに設置する必要があることをユーザに知らせる必要があった。図９は、このような問題を解決するための本発明の別の実施形態を提示する。
【００６２】
図９は、本発明の更に別の実施形態に係るＨＤＭＩ信号補正方法を示すフローチャートである。
【００６３】
同図を更に参照すると、本発明の更に別の実施形態に係るＨＤＭＩ信号補正方法は、信号処理されたＨＤＭＩ信号のうち、検出された最小のエラー率が予め設定された値以上である場合（Ｓ９６０−Ｙ）、ＨＤＭＩケーブルの交換を要求するメッセージを出力するステップ（Ｓ９７０）を更に含んでよい。
【００６４】
本発明の一実施形態として、ＨＤＭＩ信号受信端がテレビである場合、信号処理されたＨＤＭＩ信号のうち、検出された最小のエラー率が予め設定された値以上である場合、テレビ画面にＨＤＭＩケーブルの交換が必要であることを知らせるメッセージをディスプレイする。
【００６５】
この場合、ＨＤＭＩ信号補正方法は、イコライザゲインを設定し（Ｓ９１０）、ＨＤＭＩ信号伝送装置から調整されたＨＤＭＩ信号を受信し（Ｓ９２０）、受信されたＨＤＭＩ信号を信号処理し（Ｓ９３０）、信号処理されたＨＤＭＩ信号のエラー率を検出し（Ｓ９４０）、検出されたエラー率が最も小さい信号調整情報を前記ＨＤＭＩ信号伝送装置に伝送し（Ｓ９５０）、信号処理されたＨＤＭＩ信号のうち、検出された最小のエラー率が予め設定された値以上である場合（Ｓ９６０−Ｙ）、ＨＤＭＩケーブルの交換を要求するメッセージを出力する過程（Ｓ９７０）から構成される。
【００６６】
図１０は、本発明の更に別の実施形態に係るＨＤＭＩ信号補正方法を示すフローチャートである。
【００６７】
同図を更に参照すると、信号調整情報を設定するステップ（Ｓ１０１０）と、設定された信号調整情報に応じて、ＨＤＭＩ信号を調整するステップ（Ｓ１０２０）と、調整されたＨＤＭＩ信号をＨＤＭＩ信号受信装置に伝送するステップ（Ｓ１０３０）と、ＨＤＭＩ信号受信装置からエラー率が最小のＨＤＭＩ信号に対応する信号調整情報を受信するステップ（Ｓ１０４０）と、受信された信号調整情報に応じて、ＨＤＭＩ信号を調整するステップ（Ｓ１０５０）とを含んでよい。上記の一連の過程は、ＨＤＭＩ信号伝送端が行われ、各ステップについて説明しているため、重複する内容は省略する。
【００６８】
まず、ＨＤＭＩ信号伝送端は、ＨＤＭＩ信号受信装置から信号調整要求を受信する場合、信号調整情報を設定する（Ｓ１０１０）。
【００６９】
そして、設定された信号調整情報に応じて、ＨＤＭＩ信号を調整する（Ｓ１０２０）。上述のように、信号調整は、プリエンファシスゲイン及びＴＭＤＳスイングゲインのうち、少なくとも一方を変更することで構成される。そして、調整されたＨＤＭＩ信号をＨＤＭＩ受信端に伝送する（Ｓ１０３０）。
【００７０】
その後、ＨＤＭＩ信号受信端が設定されたイコライザゲインに応じてＨＤＭＩ信号伝送端で受信したＨＤＭＩ信号を信号処理してエラー率を検出し、前記過程を繰り返しつつ、信号調整情報の変更値によるエラー率テーブルを生成する。そして、ＨＤＭＩ信号受信端は、エラー率が最小のＨＤＭＩ信号に対応する信号調整情報を伝送する（Ｓ１０４０）。
【００７１】
ＨＤＭＩ信号伝送端は、受信された信号調整情報と同様に、信号調整情報を再設定する（Ｓ１０５０）。その後、ＨＤＭＩケーブルが着脱されるまで、再設定された信号調整情報に応じて、ＨＤＭＩ信号を調整してＨＤＭＩ信号受信端に伝送する。
【００７２】
図１１は、本発明の更に別の実施形態に係るＨＤＭＩ信号補正方法を示すフローチャートである。
【００７３】
同図を更に参照すると、本発明の更に別の実施形態に係るＨＤＭＩ信号補正方法は、上述の信号調整情報を設定するステップがＨＤＭＩ信号受信装置から信号調整要求を受信する場合、プリエンファシスゲイン及びＴＭＤＳスイングゲインのうち、少なくとも一方を設定するものであってよい（Ｓ１１１０、Ｓ１１２０）。
【００７４】
そして、設定されたプリエンファシスゲインとＴＭＤＳスイングゲインに応じて、ＨＤＭＩ信号を調整し（Ｓ１１３０）、ＨＤＭＩ信号受信端に伝送する（Ｓ１１４０）。その後、ＨＤＭＩ信号受信端が設定されたイコライザゲインに応じて、ＨＤＭＩ信号伝送端から受信したＨＤＭＩ信号を信号処理してエラー率を検出し、上記過程を繰り返しつつ、イコライザいゲイン及び信号調整情報の変更値によるエラー率テーブルを生成する。そして、ＨＤＭＩ信号受信端は、エラー率が最小のＨＤＭＩ信号に対応する信号調整情報、すなわち、プリエンファシスゲイン及びＴＭＤＳスイングゲインの設定値のうち、少なくとも一方をＨＤＭＩ伝送端に再伝送する（Ｓ１１５０）。
【００７５】
ＨＤＭＩ信号伝送端は、受信された信号調整情報と同様にプリエンファシスゲイン及びＴＭＤＳスイングゲインのうち、少なくとも一方を再設定する。その後、ＨＤＭＩケーブルが着脱されるまで、再設定されたプリエンファシスゲイン及びＴＭＤＳスイングゲインのうち、少なくとも一方に応じてＨＤＭＩ信号を調整し（Ｓ１１６０）、ＨＤＭＩ信号受信端に伝送する。
【００７６】
図１２は、本発明の更に別の実施形態に係るＨＤＭＩ信号補正方法を示すフローチャートである。
【００７７】
同図は、ＨＤＭＩ信号受信端で同時に行われる一連の過程を示している。
【００７８】
同図を更に参照すると、本発明の更に別の実施形態に係るＨＤＭＩ信号補正方法は、ＨＤＭＩ信号補正方法は、ＨＤＭＩ信号受信装置がＨＤＭＩ信号に対するイコライザゲインを設定するステップ（Ｓ１２１０）と、ＨＤＭＩ信号受信装置が信号調整要求をＨＤＭＩ信号伝送装置に伝送するステップ（Ｓ１２２０）と、信号調整要求が伝送される場合、ＨＤＭＩ信号伝送装置が信号調整情報を設定するステップ（Ｓ１２３０）と、ＨＤＭＩ信号伝送装置が設定された信号調整情報に応じてＨＤＭＩ信号を調整するステップ（Ｓ１２４０）と、ＨＤＭＩ信号伝送装置が調整されたＨＤＭＩ信号をＨＤＭＩ信号受信装置に伝送するステップ（Ｓ１２５０）とを含む。
【００７９】
なお、ＨＤＭＩ信号受信装置が伝送されたＨＤＭＩ信号を設定されたイコライザゲインに応じて信号処理するステップ（Ｓ１２６０）と、ＨＤＭＩ信号受信装置が信号処理されたＨＤＭＩ信号のエラー率を検出するステップ（Ｓ１２７０）と、ＨＤＭＩ信号受信装置が信号処理されたＨＤＭＩ信号のうち、検出されたエラー率が最も小さいＨＤＭＩ信号に対応する信号調整情報をＨＤＭＩ信号伝送装置に伝送するステップ（Ｓ１２８０）と、ＨＤＭＩ信号伝送装置が伝送された信号調整情報に応じてＨＤＭＩ信号を調整するステップ（Ｓ１２９０）とを含んでよい。
【００８０】
図１３は、本発明の更に別の実施形態に係るＨＤＭＩ信号受信装置１００の構成を示すブロック図である。
【００８１】
同図を参照すると、本発明の更に別の実施形態に係るＨＤＭＩ信号受信装置１００は、ＥＱ調整部１１０と、通信インターフェース部１２０と、信号処理部１３０と、エラー検出部１４０及び制御部１５０を含む。ＨＤＭＩ信号受信装置１００は、ＨＤＭＩ信号を生成して伝送できる全種類の装置を含む。例えば、コンピュータ、ＤＶＤプレーヤ、テレビ、携帯電話、ＰＤＡ、ノートパソコン、モニタ、タブレットパソコン、電子書籍、デジタルフォトフレーム、キヨスク等のような多様な装置で実現されてよい。
【００８２】
ＥＱ調整部１１０は、ＨＤＭＩ信号に対するイコライザゲインを設定する構成として、イコライザゲインレベルを順次に調整してイコライザゲインを変更することで、行われてよい。ＨＤＭＩ信号補正が開始される場合、イコライザゲインは初期値にセットされてよい。すなわち、初期値からイコライザゲインレベルを順次に増加させて変更しつつ、対応するＨＤＭＩ信号を検出することができる。
【００８３】
ここで、イコライジング（ｅｑｕａｌｉｚｉｎｇ）は、ＨＤＭＩ信号伝送装置から受信されたＨＤＭＩ信号を補強したり切削する作業を含み、ｂｉａｓ信号を調整したり、ｃｈａｒｇｅ  ｐｕｍｐ  ｖａｌｕｅを変更する作業を含む。特に、イコライジングゲインは、ジッター（ｊｉｔｔｅｒ）調整に関連する。ＨＤＭＩ信号は、基本的に高周波の特性を有し、高周波で波動の一部様相が逸脱したり、変位されるジッター現象が深刻化することで知られている。ジッターは、ディスプレイモニタが点滅したり、オーディオ信号にガタガタする音または他の望まない効果をもたらしたり、ネットワーク装備の間に伝送されるデータの紛失の原因となる。イコライジングゲインの設定を変更して位相同期回路（ＰＬＬ：Ｐｈａｓｅ  Ｌｏｃｋｅｄ  Ｌｏｏｐ）の敏感度を調整することで、ジッター現象を低減させることができる。
【００８４】
ＨＤＭＩ信号受信装置１００は、上述のような図２のように、イコライザゲインを設定することができる。例えば、ＥＱ＿Ｇａｉｎ＿１はレジスタに０ｘ０１を印加することにより、０ｄＢの信号強度を得ることができる。次の段階において、イコライザゲインレベルを上げる場合（ＥＱ＿Ｇａｉｎ＿２に該当）レジスタに０ｘ０２を印加することにより、１ｄＢの信号強度を得ることができる。このように、イコライザゲインのレベルを順次に増加させつつ、信号の強度を変形することができる。ただ、図２は、本発明の一実施形態に過ぎず、制御値（ｃｏｎｔｒｏｌ  ｖａｌｕｅ）と得られる信号強度（Ｇａｉｎ）とは、異なるように設定されてよい。なお、レベルが、図２より更に多段に設定されてよく、少ない段階に設定されてよい。
【００８５】
一方、ＨＤＭＩ信号受信装置１００は、ＨＤＭＩ信号を生成して伝送することができる全ての種類の装置を含む。例えば、コンピュータ、ＤＶＤプレーヤ、テレビ、携帯電話、ＰＤＡ、ノートパソコン、モニタ、タブレットパソコン、電子書式、デジタルフォトフレーム、キヨスク等のような多様な装置で実現されてよい。
【００８６】
通信インターフェース部１２０は、ＨＤＭＩ信号伝送装置と多様な種類の情報を送受信できる構成として、特に、ＨＤＭＩ信号伝送装置で設定された信号調整情報に応じて信号調整が行われたＨＤＭＩ信号をＨＤＭＩ信号伝送装置から受信する。ＨＤＭＩ信号伝送装置とＨＤＭＩ信号受信装置１００との間の制御信号は、ＣＥＣ（Ｃｏｎｓｕｍｅｒ  Ｅｌｅｃｔｒｏｎｉｃｓ  Ｃｏｎｔｒｏｌ）通信プロトコルを用いて行われてよい。このような例は、図１９に示されている。
【００８７】
信号処理部１３０は、通信インターフェース部１２０によって受信されたＨＤＭＩ信号をＥＱ調整部１１０によって設定されたイコライザゲインに応じて信号処理する構成である。結果的に、ＨＤＭＩ信号伝送端から生成されたＨＤＭＩ信号は、プリエンファシスゲイン及び／またはＴＭＤＳスイングゲイン設定に応じて信号処理された後、ＨＤＭＩ信号受信装置１００に伝送され、ＨＤＭＩ信号受信装置１００の信号処理部１３０は、受信されたＨＤＭＩ信号をイコライザゲインに応じて信号処理して一連の信号処理過程を完了する。
【００８８】
エラー検出部１４０は、信号処理されたＨＤＭＩ信号のエラー率を検出する構成である。エラー率は、最初に生成された信号を基準に、ＨＤＭＩ信号の伝送過程で生じた損失された量に依存する。一実施形態として、エラー率の検出は、ＴＭＤＳエラーをカウントして検出することができる。ＴＭＤＳエラーをカウントする方法は、受信されたＨＤＭＩ信号のＢＣＨエラーまたはＥＣＣエラーを検出する方法であってよい。
【００８９】
上述のように、図５はＥＣＣメモリ（ＥＣＣ  Ｅｒｒｏｒ  Ｃｈｅｃｋ  ａｎｄ  Ｃｏｒｒｅｃｔ  Ｍｅｍｏｒｙ）が検出したエラーをカウントして保存しているレジスタが提供する情報を示す参考図である。一般的に、ＥＣＣメモリは、メモリ付近で過電流が発生する場合、または、その他の外部の影響により、ビット値が変更される場合、エラーを検出する。図５は、ＥＣＣメモリに２バイトの情報でＥＣＣエラーが検出されたビットをカウントした結果を提供する実施形態を示している。
【００９０】
制御部１５０は、ＨＤＭＩ信号伝送装置の動作全般を制御し、特に、信号処理されたＨＤＭＩ信号のうち、エラー検出部１４０によって検出されたエラー率が最小のＨＤＭＩ信号に対応する信号調整情報をＨＤＭＩ信号伝送装置に伝送するように制御する。
【００９１】
上述の各構成要素の動作を順次に説明すると、まず、ＥＱ調整部１１０は、イコライザゲインを初期値に設定し、通信インターフェース部１２０はＣＥＣプロトコルを通じてＨＤＭＩ信号伝送装置のプリエンファシスゲインを初期値（例えば、１）に設定することを要求する。ＨＤＭＩ信号伝送装置がプリエンファシスゲインを初期値に設定した後でも、ＣＥＣプロトコルを通じて応答をする場合、通信インターフェース部１２０は、ＣＥＣプロトコルを通じて再びＨＤＭＩ信号伝送装置のＴＭＤＳスイングゲインを初期値に設定することを要求する。更に、ＨＤＭＩ信号伝送装置からＴＭＤＳスイングゲイン設定が完了しているという応答を受信した場合、調整されたＨＤＭＩ信号を受信する。そして、信号処理部１３０は、受信されたＨＤＭＩ信号に対してイコライザゲインに応じて信号処理を行い、エラー検出部１４０は信号処理されたＨＤＭＩ信号のエラー率を検出する。
【００９２】
上述の信号処理過程及びエラー率検出過程は繰り返し行われつつ、制御部１５０は信号処理されたＨＤＭＩ信号のうち、検出されたエラー率が最も小さいＨＤＭＩ信号を探る。そして、通信インターフェース部１２０は、それに対応する信号調整情報をＨＤＭＩ信号伝送端に伝送する。上述のように、信号調整情報は、設定されたプリエンファシスゲイン及びＴＭＤＳスイングゲインであってよく、この場合、プリエンファシスゲインとＴＭＤＳスイングゲインの設定値がＨＤＭＩ信号伝送端に伝送される。このとき、ＣＥＣ通信プロトコルを利用してよい。
【００９３】
このように、信号処理過程及びエラー率検出過程は繰り返し行われる場合、各過程で設定された信号調整情報とそれに対応するエラー率のテーブルを生成することができる。ＨＤＭＩ信号受信端は、前記テーブルを参照して最小のエラー率を有する信号調整情報を識別する。上述の図６は、このようなテーブルの例を示している。
【００９４】
上述の実施形態と同様に、イコライザゲインレベルが１であり、プリエンファシスゲインレベルが１である場合、ＴＭＤＳスイングゲインレベルが１〜８である場合のエラー率をメモリに保存し、イコライザゲインレベルが１であり、プリエンファシスゲインレベルが２である場合、ＴＭＤＳスイングゲインレベルが１〜８である場合のエラー率をメモリに保存する等、順次にイコライザゲインとプリエンファシスゲイン、ＴＭＤＳスイングゲインの設定組み合わせを形成してエラー率をチェックすることができる。上記実施形態において、イコライザゲインレベル、プリエンファシスゲインレベル、ＴＭＤＳスイングゲインレベルは、それぞれ１〜８までと説明しているが（図２ないし６を参照）、製品仕様に応じて、ステップは更に縮小されたり拡張されてよい。ＨＤＭＩ信号受信端装置１００の制御部１５０は、図６の組み合わせテーブルで、メモリに保存された最小のエラー率を有する信号調整情報を識別する。
【００９５】
図１４は、本発明の更に別の実施形態に係るＨＤＭＩ信号受信装置１００’の構成を示すブロック図である。
【００９６】
同図を更に参照すると、本発明の更に別の実施形態に係るＨＤＭＩ信号受信装置１００’は、イコライザゲイン、信号調整情報およびそれに対応する前記エラー率を保存する保存部１６０を更に含んでよい。保存部１６０は、メモリ、ハードディスク、ＵＳＢ（Ｕｎｉｖｅｒｓａｌ  Ｓｅｒｉａｌ  Ｂｕｓ）、外付けメモリ、外付けディスクドライブ、ＣＤ−ＲＯＭ、ＣＡＳＨ  ＭＥＭＯＲＹ、フロッピー（登録商標）ディスク、テープ、フィルム等、データを保存できる全種類の保存媒体を含む。
【００９７】
この場合、保存部１５０は、検出された最小のエラー率に対応する信号調整情報を保存部１６０から読み取り、ＨＤＭＩ信号伝送装置２００に伝送するように制御する。
【００９８】
ところが、上述の過程を通じて最小のエラー率に対応する信号調整情報が識別された場合も、このようなエラー率は、ＨＤＭＩ信号受信装置１００が要求する最低限の品質を保証することができない場合があった。例えば、ＨＤＭＩケーブルが過度に長く接続されていたり、老朽化して信号の漏洩が激しい場合、最小のエラー率に対応するＨＤＭＩ信号さえも良質の情報を補償することができない場合がある。このような場合、ＨＤＭＩケーブルそのものを交換したり、新たに設置する必要があることをユーザに知らせる必要があった。図１５は、このような問題を解決するための本発明の別の実施形態を提示する。
【００９９】
図１５は、本発明の更に別の実施形態に係るＨＤＭＩ信号受信装置１００”の構成を示すブロック図である。
【０１００】
同図を更に参照すると、本発明の更に別の実施形態に係るＨＤＭＩ信号受信装置１００”は、ディスプレイ部１７０を更に含んでよい。
【０１０１】
ディスプレイ部１７０は、ＨＤＭＩ信号をデコードして、映像情報を出力する。
【０１０２】
このとき、制御部１５０は、信号処理されたＨＤＭＩ信号のうち、検出された最小のエラー率が予め設定された値以上の場合、ＨＤＭＩケーブルの交換を要求するメッセージを出力するようにディスプレイ部１７０を制御してよい。
【０１０３】
本発明の一実施形態として、ＨＤＭＩ信号受信装置１００がテレビである場合、信号処理されたＨＤＭＩ信号のうち、検出された最小のエラー率が予め設定された値以上の場合、ディスプレイ部１７０はテレビ画面にＨＤＭＩケーブルの交換が必要であることを知らせるメッセージディスプレイする。
【０１０４】
本発明の更に別の実施形態として、ＨＤＭＩ信号受信装置は、ＨＤＭＩ信号の自動調整手段（図示せず）を更に含んでよい。例えば、ＨＤＭＩ信号受信装置がテレビである場合、消費者が直接リモコンを通じて自動で、上述の信号調整を行うことができるボタンをリモコンに含めることができる。消費者は、ＨＤＭＩケーブルを通じて様々な機器を接続した場合、専門家の手助けなしにボタン一つで信号調整を行うことができるようになる。
【０１０５】
図１６は、本発明の更に別の実施形態に係るＨＤＭＩ信号伝送装置２００の構成を示すブロック図であり、図１７は、図１６で信号調整部２２０がプリエンファシス調整部２２１とスイング調整部２２２とを含むＨＤＭＩ信号伝送装置２００の構成を示すブロック図である。
【０１０６】
図１６を参照すると、本発明の更に別の実施形態に係るＨＤＭＩ信号伝送装置２００は、通信インターフェース部２１０と、信号調整部２２０及び制御部２３０を含む。
【０１０７】
通信インターフェース部２１０は、ＨＤＭＩ信号受信装置１００と情報を送受信する構成として、特に、ＨＤＭＩ信号伝送装置２００で設定された信号調整情報に応じて信号調整が行われたＨＤＭＩ信号をＨＤＭＩ信号受信装置１００に伝送する。特に、ＨＤＭＩ信号伝送装置２００とＨＤＭＩ信号受信装置１００との間の制御信号は、ＣＥＣ（Ｃｏｎｓｕｍｅｒ  Ｅｌｅｃｔｒｏｎｉｃｓ  Ｃｏｎｔｒｏｌ）通信プロトコルを用いて行われてよい。
【０１０８】
信号調整部２２０は、通信インターフェース部２１０がＨＤＭＩ信号受信装置１００から信号調整要求を受信する場合、信号を調整する構成である。信号調整部２２０は、ＨＤＭＩ信号受信装置１００から信号調整要求を受信する場合、信号調整情報を設定する。そして、設定された信号調整情報に応じてＨＤＭＩ信号を調整する。上述のように、信号調整は、プリエンファシスゲイン及びＴＭＤＳスイングゲインのうち、少なくとも一方を変更することにより行われる。そのために、信号調整部２２０は、図１７のように、プリエンファシス調整部２２１とスイング調整部２２２を含んでよい。
【０１０９】
その後、上述のＨＤＭＩ信号受信装置１００が設定されたイコライザゲインに応じてＨＤＭＩ信号伝送装置２００で受信したＨＤＭＩ信号を信号処理してエラー率を検出し、前記過程を繰り返しつつ、信号調整情報の変更値によるエラー率テーブルを生成する。そして、ＨＤＭＩ信号受信装置１００は、エラー率が最小のＨＤＭＩ信号に対応する信号調整情報を伝送する。
【０１１０】
制御部２３０は、ＨＤＭＩ信号伝送装置２００の動作全般を制御する。特に、信号調整部２２０によって調整されたＨＤＭＩ信号を前記ＨＤＭＩ信号受信装置１００に伝送するように通信インターフェース部２１０を制御し、ＨＤＭＩ信号受信装置１００からエラー率が最小のＨＤＭＩ信号に対応する信号調整情報を受信すると、受信された信号調整情報に応じてＨＤＭＩ信号を調整するように信号調整部２２０を制御する。信号調整部２２０が受信された信号調整情報と同様に、信号調整情報を再設定すると、通信インターフェース部２１０は、ＨＤＭＩケーブルが着脱されるまで、再設定された信号調整情報に応じて調整されたＨＤＭＩ信号をＨＤＭＩ信号受信装置１００に伝送する。
【０１１１】
図１８は、本発明の更に別の実施形態に係るＨＤＭＩ信号処理システム３００の構成を示すブロック図である。
【０１１２】
同図を参照すると、本発明の更に別の実施形態に係るＨＤＭＩ信号処理システム３００は、ＨＤＭＩ信号に対するイコライザゲインを設定し、ＨＤＭＩ信号伝送装置２００から調整されたＨＤＭＩ信号を受信して設定されたイコライザゲインに応じて信号を処理し、信号処理されたＨＤＭＩ信号のうち、エラー率が最も小さいＨＤＭＩ信号に対応する信号調整情報をＨＤＭＩ信号伝送装置２００に伝送するＨＤＭＩ信号受信装置１００と、ＨＤＭＩ信号を調整してＨＤＭＩ信号受信装置１００に伝送し、受信されたエラー率が最も小さいＨＤＭＩ信号に対応する信号調整情報に応じて、ＨＤＭＩ信号を調整し、ＨＤＭＩ信号受信装置１００に再伝送するＨＤＭＩ信号伝送装置２００とを含んでよい。
【０１１３】
ＨＤＭＩ信号受信装置１００と、ＨＤＭＩ信号伝送装置２００について、上述しているため、繰り返し説明は省略する。
【０１１４】
図１９は、図１８のＨＤＭＩ信号処理システム３００に対する概略的な回路図を示す参考図である。
【０１１５】
上述のように、ＨＤＭＩ信号処理システム３００のＨＤＭＩ信号受信装置１００と、ＨＤＭＩ信号伝送装置２００との間の通信インターフェースは、ＣＥＣプロトコルを含んでよい。
【０１１６】
本発明は、上述の内容を含むことで、ＨＤＭＩ信号伝送過程に発生するノイズを除去し、ＨＤＭＩケーブルを互換性が問題になる場合も、自動で信号を調整してこのような問題を最小限化することができる。なお、自動信号調整機能をＨＤＭＩ機器そのものに備え、ユーザが直接手軽に信号調整が可能であり、最適の信号送受信環境を設定することができる。特に、別途の解像度の調整なく、信号の利得を制御することで信号調整が行われるため、解像度の劣化可能性を最小限に抑えることができる。
【０１１７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１１８】
１００  ＨＤＭＩ信号受信装置
１１０  ＥＱ調整部
１２０、２１０  通信インターフェース部
１３０  信号処理部
１４０  エラー検出部
１５０、２３０  制御部
１６０  保存部
１７０  ディスプレイ部
２００  ＨＤＭＩ信号伝送装置
２２０  信号調整部
２２１  プリエンファシス調整部
２２２  スイング調整部
３００  ＨＤＭＩ信号処理システム
【図１】
2014017819.tif 000003
【図２】
2014017819.tif 000004
【図３】
2014017819.tif 000005
【図４】
2014017819.tif 000006
【図５】
2014017819.tif 000007
【図６】
2014017819.tif 000008
【図７】
2014017819.tif 000009
【図８】
2014017819.tif 000010
【図９】
2014017819.tif 000011
【図１０】
2014017819.tif 000012
【図１１】
2014017819.tif 000013
【図１２】
2014017819.tif 000014
【図１３】
2014017819.tif 000015
【図１４】
2014017819.tif 000016
【図１５】
2014017819.tif 000017
【図１６】
2014017819.tif 000018
【図１７】
2014017819.tif 000019
【図１８】
2014017819.tif 000020
【図１９】
2014017819.tif 000021